(57)【要約】      （修正有）【課題】フォークの激突による紙管の脱落を抑止したパレット用部品を提供する。【解決手段】Ｔ字アングル５をＴ字の中央脚５１を対向させて上下に配置し、その間に円筒状の紙管８を挟む。紙管8の上端面、下端面から夫々切り欠き８１、８２を設け、T字アングル５の中央脚５１を挿通する。Ｃは紙管８を上から覗き込んで、アングル板５を見た状態を示す図である。Ｔ字アングル５の中央部には、アングル板７が設けられており、その先端の２つの頂点は紙管８の内周面に当接している。頂点は紙管８の内周面に対してアンカーの役目を有する。パレットの積載面となるダンボール紙には、Ｔ字アングル５の夫々の底面が面として接着できる。【選択図】図２
0003148572.tif 000002
【実用新案登録請求の範囲】
【請求項１】
積載面の背面に対して格子状に配置された紙管を支柱としたパレットを構成するパレット用部品において、
上端面、下端面の直径上の対向位置に夫々切り欠きが設けられた円筒状の紙管と、
前記紙管の上端面、下端面の切り欠きに対して、夫々上下から断面Ｔ字状の中央脚が挿通されたＴ字状の板紙と、
当該中央脚の中央部に取り付けられ、該紙管の内周面に対して当接する板紙とを有し、前記Ｔ字状の板紙の底面をパレットの積載面の背面に対する接着面とすることを特徴としたパレット用部品。
【請求項２】
請求項１において、前記Ｔ字状の板紙の中央脚に取り付けられる板紙は、Ｌ字状の板紙であって、前記紙管の径方向に延びた片が紙管の内周面に対して４５度以下の浅い角度で当接する頂点を有することを特徴としたパレット用部品。
【請求項３】
請求項１において、前記上下一方側のＴ字状の板紙は、他方側のＴ字状の板紙よりも長く、その中央脚に複数の板紙が取り付けられて、各取り付け箇所において前記紙管が挿通されていることを特徴とするパレット用部品。
【考案の詳細な説明】
【技術分野】
【０００１】
本願考案は、移送用パレット、特に紙管等を利用した紙製のパレット用部品に関する。
【背景技術】
【０００２】
１回の移送のために用いる所謂ワンウエィパレットとして紙を利用したパレットが、例えば特許文献１により知られている。これら開示される移送用パレットは、利用後に焼却処分ができるように、紙以外の材料を使用しないようにし、一方、要求される構造的な強度を得るための工夫がされている。
【０００３】
特許文献１においては、断面逆Ｌ字状又は断面逆Ｕ字状の桟と、上端から下方に向けて縦切り込みが設けられた管状の脚部（紙管）とを備え、Ｌ字状桟の垂下部を縦切り込みに、嵌入してパレットを組み立てている。
【特許文献１】実登第３００４２６９号
【考案の開示】
【考案が解決しようとする課題】
【０００４】
特許文献１においては、紙管に設けられた縦切り込みと、嵌入された桟の垂下部との間の摩擦抵抗のみで脚部が脱落することはないとされている。そして、必要に応じて、接着剤やステープラで固定しておいても良いとされている。
【０００５】
しかしながら、パレットに対してフォークを差し込む際に、挿し込み側に配置された紙管に対してフォークの先端が激突し、紙管の位置がずれてバランスが悪くなったり、紙管が転倒してパレットの構造から失われる危険性がある。紙管を接着剤で固定することにより、この可能性を低減することはできるが、特許文献１においては紙管と桟との間では面同士の接着ができず、紙管の切断面と桟を接着せねばならず、接着面積を十分に確保できなかった。本考案は、紙管との接続において、紙管と桟との接続をより強固としたパレットの提供を目的とする。
【課題を解決するための手段】
【０００６】
本考案は積載面の背面に対して格子状に配置された紙管を支柱としたパレットを構成するパレット用部品において、上端面、下端面の直径上の対向位置に夫々切り欠きが設けられた円筒状の紙管と、前記紙管の上端面、下端面の切り欠きに対して、夫々上下から断面Ｔ字状の中央脚が挿通されたＴ字状の板紙と、当該中央脚の中央部に取り付けられ、該紙管の内周面に対して当接する板紙とを有し、前記Ｔ字状の板紙の底面をパレットの積載面の背面に対する接着面とすることを特徴とする。
【考案の効果】
【０００７】
以上、本考案に係るパレットによれば、紙管を面により積載面との接着を可能としたため、フォークの挿し込み側に配置された紙管に対してフォークの先端が激突し、紙管の位置がずれてバランスが悪くなったり、紙管が転倒してパレットの構造から失われる危険性を低減することができる。
【考案を実施するための最良の形態】
【０００８】
図１は、本実施例による組み立てられた状態のパレット1の斜視図を示している。図中、上下に平板状のダンボール紙（または厚手の板紙）２及び３が配置され、その間を格子状に配置された多数の脚部４が配置されている。図中、ダンボール紙２は、パレット１の積載面とその背面を提供するものであり、破線にて示している。脚部４は主構成として紙管８を有しており、これがパレット１の支柱となっている。紙管の配置個数は荷重により選定される。脚部４は、部品として供給されるものであり、ダンボール紙２及び３は、パレット１を利用する積載現場において用意される。このように部品構成を分けたのは、パレット全体を生産工場で組み立てた上で、利用元へ出荷するのは輸送に要するコストが高価となるからであり、また、平板状のダンボール紙は、どこの場所でも容易に入手できるからである。
【０００９】
脚部４は、共通の構造をしており、その１つを組み立て図２に示す。図２Ａにおいて、まず、Ｌ字状のアングル板６を背中合わせに配置して、両者間は接着剤により固定した断面Ｔ字状とした板紙を形成する。アングル板６は、厚さ１ｍｍのＬ字状の厚手の板紙を接着剤により積層し貼り合わせて、厚さ３ｍｍの断面Ｌ字状としたものである。アングル板７は、アングル板６よりも短いが同一３層構造のＬ字状の板紙である。アングル板６の背中合わせとされた中央部分に、アングル板７は一方片７１が、ステープラ又は接着剤を利用して固定される。また、この固定により、他方片７２は背中合わせとされたアングル板６の他方側に突出した状態となる。ここに、図２Ａにおいて組み立てられた構造体を以降「Ｔ字アングル５」と呼ぶことにする。
【００１０】
図２Ｂにおいては、Ｔ字アングル５をＴ字の中央脚５１を対向させて上下に配置し、その間に紙管８を挟むようにする。紙管8は、円筒状で、その肉厚は５ｍｍであって、パレット１の支柱となるものである。肉厚は、必要とされる強度に応じて変更することができる。紙管8には、上端面、下端面から夫々切り欠き８１、８２が設けられている。上端面側の切り欠き８１は、紙管8の直径上に2つ対向して設けられる。下端面側の切り欠き８２も同様である。これらの切り欠け８１、８２は、T字アングル５の中央脚５１を挿通するために、中央脚５１の高さ及び厚さに等しいものとなっている。また、対向する2つの切り欠き８１を結ぶ線は、対向する2つの切り欠き８２を結ぶ線と直交する。
【００１１】
図2Ｃは、紙管８を上から覗き込んで、アングル板５を見た状態を示す図である。図２Ｃにおいて、アングル板７は、紙管８の径方向に延び、かつ長方形の形状とされた他方片７２が紙管８の内周径Ｌ1よりも短い長さＬ２であり、その先端の２つの頂点７３、７４は紙管８の内周面に当接している。頂点７３、７４は紙管８の内周面に対してアンカーの役目を有する。当接位置としては、紙管の中心に対してθの角度の内周面であり、θは４５度以下の浅い角度が良く、３０度である。他方片７２の紙管８中心からの突出長さＬ３は、１/２Ｌ１sinθよりも５ｍｍ程度大きくして、頂点７３、７４が紙管８の内周面に沿って湾曲ｗさせ、アングル板７の弾発力を持った面構成としてアンカーの役目をさせた方が良い。
【００１２】
図２Ｄは、完成した脚部４を示している。図中、紙管8内に位置するアングル板７を破線にて示している。紙管8の上端面、下端面は、上下のＴ字アングル５の上面４１と下面42に対して当接した状態である。紙管8とＴ字アングル５との間を、接着剤により固定しても、しなくても良い。両者間の摩擦力により、Ｔ字アングル５が切り欠き８１又は８２から垂直に脱落することはないからである。この際、アングル板７の２つの頂点７３、７４は、上面４１と下面42よりも離れた位置で紙管8の内周面で当接しており、紙管8と上下のＴ字アングル５とは、前後左右方向に加わる力に対して剛性が高められている。
【００１３】
図２Ｄに示した状態の脚部４が、パレット１としての半完成品であり、この状態で生産工場から出荷され、また商取引の対象とされる。脚部４は、その上下に配置されたＴ字アングル５の底面が、ダンボール紙２、３との接着面となる。脚部４を半完成品として購入したユーザは、汎用品として用意したダンボール紙２、３と脚部４を接着する。
【００１４】
図３に脚部4がダンボール紙２、３に接着する様子を示す。３×３に格子状に配置した脚部４をダンボール紙２、３に接着する作業のみであり、簡単にパレット1を組み立てることができる。脚部４は、その上下にＴ字アングル５を有しており、夫々の底面が面として、ダンボール紙２、３と接着できる。
【００１５】
図４に他の実施例を示す。本実施例においては、脚部４の上下のＴ字アングル５のうち一方を複数の脚部４に対して連結状としたものである。図中、紙管8内に位置するアングル板７を破線にて示している。これを連結脚部９と称する。パレットに格子状に配置されるべき複数の支柱の内、１列（又は１行）の支柱について、その上下のＴ字アングル５のうち一方を１列（又は１行）の長さ分として、そこに複数の紙管８を配置した。この際において、長いＴ字アングル１０は、紙管８の配置される位置にアングル板７が配置されている。連結脚部９もまた、脚部４と同様にパレットの半製品であり、この状態で工場から出荷され、商取引の対象となる。連結脚部９を使用する場合には、ユーザは、長いＴ字アングル１０側をパレットの足とし、短いＴ字アングル側のみにダンボール紙を接着することにより、連結脚部９の両側にダンボール紙を接着しない使い方とすることも可能である。もちろん、図１のパレットにおいて、底側となるダンボール紙３を、ユーザ側において省略することも可能である。
【００１６】
上記実施例においては、Ｔ字アングル５（又は長いT字アングル１０）はアングル板７を持つ構成としたが、これに変えて図６に示すように、平板状の板紙１１を利用することもできる。板紙１１の長さＬ４は、紙管８の内周径に相当する長さであり、高さＬ５は紙管８の長さの半分以下である。高さを制限する理由は、紙管８の上下に配置される板紙１１が、互いに干渉するからである。板紙１が、紙管８の内周径に対して当接して紙管８の位置ずれを抑制する。紙管８の高さはパレットとして適当な高さとして制限されるため、Ｌ字状のアングル板７と比べると、板紙１１の高さが制限され、また紙管８の内周面にアンカーする頂点も無いことから、強度的にはやや劣るものとなる。
【００１７】
また、上記した実施例においては、脚部４又は連結脚部９に対してダンボール紙を接着するものとしたが、ユーザ側においてダンボール紙２又は３に代えて合成シート、積層プラスチック、ベニヤ材でも良い。また、工場の出荷段階でダンボール紙を接着した完成品としてのパレットとしても良い。
【図面の簡単な説明】
【００１８】
【図１】本実施例のパレット１の斜視図である。
【図２】脚部４の組み立て図である。
【図３】パレット１の組み立て図である。
【図４】他の実施例の脚部を示す図である。
【図５】他の実施例によるパレットを示す図である。
【図６】別の実施例による脚部を示す図である。
【符号の説明】
【００１９】
１：パレット
２、３：ダンボール紙
４：脚部
５： Ｔ字アングル
６、７：アングル板
８：紙管
【図１】
0003148572.tif 000003
【図２】
0003148572.tif 000004
【図３】
0003148572.tif 000005
【図４】
0003148572.tif 000006
【図５】
0003148572.tif 000007
【図６】
0003148572.tif 000008